(57)【要約】【課題】冷媒を膨張させて動力を発生させる膨張機を備えた冷凍装置において、膨張機で回収される動力をする増大させる。【解決手段】圧縮機（21）の回転速度とは独立して回転速度を調節可能な膨張機（31）が接続された冷媒回路（11）を備えた冷凍装置（10）に、冷媒回路（11）における冷媒の循環量が多くなるほど高い回転速度になるように膨張機（31）の回転速度を調節するコントローラ（40）が設けられている。コントローラ（40）は、膨張機（31）で回収される回収動力が最大となるピーク回転速度を超えないように、膨張機（31）の回転速度を調節する。【選択図】図２
2010216678.tif 000002
【特許請求の範囲】
【請求項１】
冷媒を圧縮する圧縮機（21）と、
冷媒を膨張させて動力を発生させるように構成され、上記圧縮機（21）の回転速度とは独立して回転速度を調節可能な膨張機（31）と、
上記圧縮機（21）と上記膨張機（31）とが接続され、該圧縮機（21）と該膨張機（31）との間を冷媒が循環する冷凍サイクルを行う冷媒回路（11）と、
上記膨張機（31）の回転速度を調節する制御手段（40）とを備えた冷凍装置であって、
上記制御手段（40）は、上記膨張機（31）で回収される回収動力が最大となるピーク回転速度を超えないように上記膨張機（31）の回転速度を調節することを特徴とする冷凍装置。
【請求項２】
請求項１において、
上記冷媒回路（11）は、上記膨張機（31）の流入側と該膨張機（31）の流出側とを連通させるためのバイパス回路（13）と、該バイパス回路（13）を流れる冷媒の流量を調節するための流量調節機構（26）とを備え、
上記制御手段（40）は、上記膨張機（31）の回転速度を上記ピーク回転速度に維持している場合に、上記バイパス回路（13）を流れる冷媒の流量を調節するために上記流量調節機構（26）を制御するバイパス量調節動作を行うことを特徴とする冷凍装置。
【請求項３】
請求項２において、
上記制御手段（40）は、上記膨張機（31）の回転速度を上記ピーク回転速度未満に調節する場合には、上記冷媒回路（11）の動作状態を表す物理量が所定の目標値になるように上記膨張機（31）の回転速度を調節する一方で、上記膨張機（31）の回転速度を上記ピーク回転速度に維持している場合には、上記冷媒回路（11）の動作状態を表す物理量が上記目標値になるように上記バイパス量調節動作を行うことを特徴とする冷凍装置。
【請求項４】
請求項２又は３において、
上記制御手段（40）は、上記膨張機（31）の回転速度を上記ピーク回転速度未満に調節している場合に、上記バイパス回路（13）が閉鎖されるように上記流量調節機構（26）を制御することを特徴とする冷凍装置。
【請求項５】
請求項１乃至４の何れか１つにおいて、
上記制御手段（40）は、上記冷媒回路（11）における冷媒の循環量が、上記膨張機（31）の回転速度が上記ピーク回転速度になっていると想定した場合の該膨張機（31）の吸入流量を上回ると、該膨張機（31）の回転速度を低下させて該ピーク回転速度に調節することを特徴とする冷凍装置。
【請求項６】
請求項１乃至５の何れか１つにおいて、
上記制御手段（40）は、上記冷媒回路（11）の動作状態に対応した複数のピーク回転速度を記憶する一方、上記冷凍サイクル中に、記憶している複数のピーク回転速度の中から、実際の冷媒回路（11）の動作状態に対応するピーク回転速度を選択し、選択したピーク回転速度を用いて上記膨張機（31）の回転速度を調節することを特徴とする冷凍装置。
【請求項７】
請求項１乃至５の何れか１つにおいて、
上記制御手段（40）は、上記冷凍サイクル中に、上記膨張機（31）を一定の回転速度に維持している状態で上記回収動力を検出する第１回収動力検出動作と、該第１回収動力検出動作とは異なる回転速度に上記膨張機（31）を維持している状態で上記回収動力を検出する第２回収動力検出動作とを行い、該第１回収動力検出動作で検出された回収動力と該第２回収動力検出動作で検出された回収動力とを比較することによって回収動力が大きくなるように上記膨張機（31）の回転速度を調節することを特徴とする冷凍装置。
【発明の詳細な説明】
【技術分野】
【０００１】
本発明は、冷媒を膨張させて動力を発生させる膨張機を備えた冷凍装置に関するものである。
【背景技術】
【０００２】
従来より、冷媒を膨張させて動力を発生させる膨張機を備えた冷凍装置が知られている。この種の冷凍装置が、例えば特許文献１に開示されている。特許文献１には、膨張機を備えた蒸気圧縮式冷凍装置が記載されている。この冷凍装置では、膨張機の回転数を変えることにより、放熱器の出口圧力が所定の圧力に制御される。
【特許文献１】特開２０００−２４１０３３号公報
【発明の開示】
【発明が解決しようとする課題】
【０００３】
ところで、理論的には、図４に示すように、膨張機の回転速度が増大するに従って、膨張機で回収される回収動力は大きくなる。しかし、実際には、膨張機の回転速度が増大するに従って、機械損失や圧力損失等が顕著になるので、膨張機における回収動力が最大となるピーク回転速度が存在する。膨張機における回収動力は、ピーク回転速度までは増大するが、ピーク回転速度を超えると減少する。
【０００４】
他方、従来の冷凍装置では、膨張機の回転速度が制限されることなく、冷媒回路における冷媒の循環量が多くなるほど、膨張機が高い回転速度に調節されていた。このため、冷媒回路における冷媒の循環量が比較的多くなると、膨張機がピーク回転速度よりも高い回転速度に維持されていた。従って、冷媒回路における冷媒の循環量が比較的多くなる状態で得られる回収動力は、そのピークよりも少なくなっていた。
【０００５】
本発明は、かかる点に鑑みてなされたものであり、その目的は、冷媒を膨張させて動力を発生させる膨張機を備えた冷凍装置において、膨張機で回収される動力をする増大させることにある。
【課題を解決するための手段】
【０００６】
第１の発明は、冷媒を圧縮する圧縮機（21）と、冷媒を膨張させて動力を発生させるように構成され、上記圧縮機（21）の回転速度とは独立して回転速度を調節可能な膨張機（31）と、上記圧縮機（21）と上記膨張機（31）とが接続され、該圧縮機（21）と該膨張機（31）との間を冷媒が循環する冷凍サイクルを行う冷媒回路（11）と、上記膨張機（31）の回転速度を調節する制御手段（40）とを備えた冷凍装置を対象とする。そして、この冷凍装置では、上記制御手段（40）が、上記膨張機（31）で回収される回収動力が最大となるピーク回転速度を超えないように上記膨張機（31）の回転速度を調節する。
【０００７】
第１の発明では、冷媒回路（11）で冷凍サイクルが行われる。冷凍サイクル中の冷媒回路（11）では、膨張機（31）が冷媒を膨張させて動力を発生させる。膨張機（31）は、冷媒回路（11）における冷媒の循環量が多くなるほど高い回転速度となる。この第１の発明では、制御手段（40）が、膨張機（31）で回収される回収動力が最大となるピーク回転速度を超えないように、膨張機（31）の回転速度を調節する。冷媒の循環量が比較的少ない場合、つまり膨張機（31）の回転速度がピーク回転速度を超えないような流量に冷媒の循環量がなっている場合は、冷媒の循環量が多くなるほど高い回転速度になるように膨張機（31）の回転速度が調節される。一方、冷媒の循環量が比較的多い場合、つまり、膨張機（31）の回転速度がピーク回転速度を超えるような流量に冷媒の循環量がなっている場合は、ピーク回転速度を超えないように膨張機（31）の回転速度がピーク回転速度に維持される。
【０００８】
第２の発明は、上記第１の発明において、上記冷媒回路（11）が、上記膨張機（31）の流入側と該膨張機（31）の流出側とを連通させるためのバイパス回路（13）と、該バイパス回路（13）を流れる冷媒の流量を調節するための流量調節機構（26）とを備え、上記制御手段（40）は、上記膨張機（31）の回転速度を上記ピーク回転速度に維持している場合に、上記バイパス回路（13）を流れる冷媒の流量を調節するために上記流量調節機構（26）を制御するバイパス量調節動作を行う。
【０００９】
第２の発明では、膨張機（31）の回転速度がピーク回転速度に維持されている場合に、バイパス量調節動作が行われる。バイパス量調節動作では、流量調節機構（26）の制御によって、バイパス回路（13）を流れる冷媒の流量が調節される。
【００１０】
第３の発明は、上記第２の発明において、上記制御手段（40）が、上記膨張機（31）の回転速度を上記ピーク回転速度未満に調節する場合には、上記冷媒回路（11）の動作状態を表す物理量が所定の目標値になるように上記膨張機（31）の回転速度を調節する一方で、上記膨張機（31）の回転速度を上記ピーク回転速度に維持している場合には、上記冷媒回路（11）の動作状態を表す物理量が上記目標値になるように上記バイパス量調節動作を行う。
【００１１】
第３の発明では、膨張機（31）の回転速度がピーク回転速度未満に調節される場合に、冷媒回路（11）の動作状態を表す物理量（例えば、冷凍サイクルの高圧圧力）が目標値になるように膨張機（31）の回転速度が調節される。つまり、膨張機（31）の回転速度がピーク回転速度を超えないような流量に冷媒の循環量がなっている場合は、膨張機（31）の回転速度の調節によって、冷媒回路（11）の動作状態を表す物理量が一定に保たれる。一方、膨張機（31）の回転速度がピーク回転速度に維持されている場合は、冷媒回路（11）の動作状態を表す物理量が目標値になるように流量調節機構（26）が制御される。膨張機（31）の回転速度がピーク回転速度を超えるような流量に冷媒の循環量がなっている場合は、流量調節機構（26）の制御によってバイパス回路（13）の冷媒流量が調節されて、冷媒回路（11）の動作状態を表す物理量が一定に保たれる。
【００１２】
第４の発明は、上記第２又は第３の発明において、上記制御手段（40）が、上記膨張機（31）の回転速度を上記ピーク回転速度未満に調節している場合に、上記バイパス回路（13）が閉鎖されるように上記流量調節機構（26）を制御する。
【００１３】
第４の発明では、膨張機（31）の回転速度がピーク回転速度未満に調節されている場合に、バイパス回路（13）が閉鎖されるように流量調節機構（26）が制御される。つまり、膨張機（31）の回転速度がピーク回転速度を超えないような流量に冷媒の循環量がなっている場合は、膨張機（31）へ向かう冷媒がバイパス回路（13）に分配されることなく膨張機（31）へ供給される。
【００１４】
第５の発明は、上記第１乃至第４の何れか１つの発明において、上記制御手段（40）が、上記冷媒回路（11）における冷媒の循環量が、上記膨張機（31）の回転速度が上記ピーク回転速度になっていると想定した場合の該膨張機（31）の吸入流量を上回ると、該膨張機（31）の回転速度を低下させて該ピーク回転速度に調節する。
【００１５】
第５の発明では、冷媒回路（11）における冷媒の循環量が、膨張機（31）の回転速度がピーク回転速度になっていると想定した場合の膨張機（31）の吸入流量を上回ると、膨張機（31）が減速されて、その回転速度がピーク回転速度に調節される。膨張機（31）の回転速度がピーク回転速度を上回りそうな場合は、膨張機（31）の回転速度がピーク回転速度に調節される。この第５の発明では、冷媒回路（11）における冷媒の循環量を観察することによって、ピーク回転速度を超えないように膨張機（31）の回転速度が調節される。
【００１６】
第６の発明は、上記第１乃至第５の何れか１つの発明において、上記制御手段（40）が、上記冷媒回路（11）の動作状態に対応した複数のピーク回転速度を記憶する一方、上記冷凍サイクル中に、記憶している複数のピーク回転速度の中から、実際の冷媒回路（11）の動作状態に対応するピーク回転速度を選択し、選択したピーク回転速度を用いて上記膨張機（31）の回転速度を調節する。
【００１７】
第６の発明では、冷凍サイクル中に、記憶している複数のピーク回転速度の中から、実際の冷媒回路（11）の動作状態に対応するピーク回転速度が選択される。そして、選択されたピーク回転速度が、膨張機（31）の回転速度の調節に用いられる。この第６の発明では、実際の冷媒回路（11）の動作状態に対応したピーク回転速度が、膨張機（31）の回転速度の調節に用いられる。
【００１８】
第７の発明は、上記第１乃至第５の何れか１つの発明において、上記制御手段（40）が、上記冷凍サイクル中に、上記膨張機（31）を一定の回転速度に維持している状態で上記回収動力を検出する第１回収動力検出動作と、該第１回収動力検出動作とは異なる回転速度に上記膨張機（31）を維持している状態で上記回収動力を検出する第２回収動力検出動作とを行い、該第１回収動力検出動作で検出された回収動力と該第２回収動力検出動作で検出された回収動力とを比較することによって回収動力が大きくなるように上記膨張機（31）の回転速度を調節する。
【００１９】
第７の発明では、冷凍サイクル中に、第１回収動力検出動作と第２回収動力検出動作とが行われ、膨張機（31）を互いに異なる回転速度に維持している状態のそれぞれで、回収動力が検出される。そして、互いに異なる回転速度における回収動力を比較することによって、回収動力が大きくなるように膨張機（31）の回転速度が調節される。このため、膨張機（31）の回転速度がピーク回転速度よりも大きくなっている場合は、回収動力が大きくなるように膨張機（31）が減速され、膨張機（31）の回転速度がピーク回転速度以下に調節される。この第７の発明では、冷凍サイクル中に検出した互いに異なる回転速度における回収動力を比較することによって、ピーク回転速度を超えないように膨張機（31）の回転速度が調節される。
【発明の効果】
【００２０】
本発明では、膨張機（31）の回転速度がピーク回転速度を超えるような流量に冷媒の循環量がなっている場合は、膨張機（31）の回転速度がピーク回転速度に維持される。このため、膨張機（31）の回転速度がピーク回転速度を超えるような流量に冷媒の循環量がなっている場合に、ピーク回転速度よりも高い回転速度に維持されていた従来の冷凍装置に比べて、多くの回収動力を得ることができる。従って、膨張機（31）における回収動力を増大させることができる。
【００２１】
また、上記第３の発明では、膨張機（31）の回転速度がピーク回転速度を超えないような流量に冷媒の循環量がなっている場合は、膨張機（31）の回転速度の調節によって冷媒回路（11）の動作状態を表す物理量が一定に保たれ、膨張機（31）の回転速度がピーク回転速度を超えるような流量に冷媒の循環量がなっている場合は、流量調節機構（26）の制御によってバイパス回路（13）の冷媒流量が調節されて、冷媒回路（11）の動作状態を表す物理量が一定に保たれる。ここで、膨張機（31）の回転速度がピーク回転速度を超えるような流量に冷媒の循環量がなっている場合は、膨張機（31）の回転速度がピーク回転速度に調節されているので、膨張機（31）の回転速度によって、冷媒回路（11）の動作状態を表す物理量を調節することができない。このため、何らかの制御を行わなければ、冷媒の循環量の変化に伴って、冷媒回路（11）の動作状態を表す物理量が変化する。この第３の発明では、膨張機（31）の回転速度がピーク回転速度を超えるような流量に冷媒の循環量がなっている場合は、流量調節機構（26）の制御によって冷媒回路（11）の動作状態を表す物理量が一定に保たれる。このため、膨張機（31）の回転速度をピーク回転速度に保持しつつ、冷媒回路（11）の動作状態を表す物理量を一定に保つことができる。従って、高い回収動力を得つつ、安定した冷凍サイクルを行うことができる。
【００２２】
また、上記第４の発明では、膨張機（31）の回転速度がピーク回転速度を超えないような流量に冷媒の循環量がなっている場合に、膨張機（31）へ向かう冷媒がバイパス回路（13）に分配されることなく膨張機（31）へ供給される。従って、膨張機（31）の回転速度がピーク回転速度を超えないような流量に冷媒の循環量がなっている場合に、多くの冷媒が膨張機（31）を通過するので、高い回収動力を得ることができる。
【００２３】
また、上記第６の発明では、実際の冷媒回路（11）の動作状態に対応したピーク回転速度が、膨張機（31）の回転速度の調節に用いられる。このため、冷媒回路（11）の動作状態が変動しても、ピーク回転速度を超えないように膨張機（31）の回転速度を調節することができる。
【００２４】
また、上記第７の発明では、冷凍サイクル中に検出した互いに異なる回転速度における回収動力を比較することによって、ピーク回転速度を超えないように膨張機（31）の回転速度が調節される。このため、制御手段（40）に予めピーク回転速度を記憶させておく手間を省くことができる。
【発明を実施するための最良の形態】
【００２５】
本発明の実施形態について説明する。本実施形態は、本発明に係る冷凍装置（10）により構成された空気調和装置（10）である。この空気調和装置（10）は、図１に示すように、冷媒として二酸化炭素が充填された冷媒回路（11）を備えている。冷媒回路（11）では、冷媒を循環させて冷凍サイクルが行われる。この冷媒回路（11）は、主回路（12）とバイパス回路（13）とを備えている。
【００２６】
主回路（12）には、冷媒を圧縮するための圧縮機（21）と、冷媒を膨張させて動力を発生させる膨張機（31）と、放熱器として動作する室外熱交換器（14）と、蒸発器として動作する室内熱交換器（15）とが接続されている。主回路（12）では、室外熱交換器（14）の一端が圧縮機（21）の吐出側に接続され、室外熱交換器（14）の他端が膨張機（31）の流入側に接続されている。また、室内熱交換器（15）の一端が圧縮機（21）の吸入側に接続され、室内熱交換器（15）の他端が膨張機（31）の流出側に接続されている。
【００２７】
圧縮機（21）は、容積型で回転式の流体機械（例えば、ロータリ式の流体機械）により構成されている。圧縮機（21）は、駆動軸（22）の一端に連結されている。駆動軸（22）の他端は、電動機（23）に連結されている。電動機（23）に通電すると、電動機（23）が回転し、圧縮機（21）が駆動される。圧縮機（21）は電動機（23）と同じ回転速度で回転する。なお、圧縮機（21）、電動機（23）及び駆動軸（22）は、圧縮機ケーシング（図示省略）に収容されている。
【００２８】
電動機（23）の接続端子には、インバータが接続されている。電動機（23）には、インバータを介して電力が供給される。電動機（23）の回転速度、及び圧縮機（21）の回転速度は、インバータの出力周波数を変化させることによって変更される。
【００２９】
膨張機（31）は、容積型で回転式の流体機械（例えば、ロータリ式の流体機械）により構成されている。膨張機（31）は、出力軸（32）の一端に連結されている。出力軸（32）の他端は、発電機（33）に連結されている。膨張機（31）で冷媒が膨張すると、発生した動力が出力軸（32）に伝達されて、発電機（33）が駆動される。発電機（33）は、膨張機（31）と同じ回転速度で回転する。発電機（33）は、その回転に伴って電力を発生する。つまり、膨張機（31）で回収された回収動力によって、発電機（33）は電力を発生する。なお、膨張機（31）、発電機（33）及び出力軸（32）は、密閉容器状の膨張機ケーシング（図示省略）に収容されている。
【００３０】
発電機（33）の接続端子は、電力供給回路を介して、電動機（23）の接続端子に接続されている。つまり、発電機（33）が発生した電力は、電力供給回路を介して、電動機（23）へ供給される。
【００３１】
電力供給回路には、膨張機（31）の回転速度を調節するためのスイッチ回路が設けられている。スイッチ回路の出力周波数を変化させると、発電機（33）から電動機（23）へ供給される供給電力が変更される。供給電力が変更されると、発電機（33）の負荷が変化して、発電機（33）の回転速度及び膨張機（31）の回転速度が変更される。また、電力供給回路には、相電流の波形周期に基づいて、発電機（33）の回転速度を検出する速度検出部が設けられている。速度検出部によって検出される回転速度は、膨張機（31）の回転速度でもある。なお、出力軸（32）の回転速度を検出する回転速度センサを出力軸（32）に設けて、膨張機（31）の回転速度を検出してもよい。また、電力供給回路には、発電機（33）から電動機（23）へ供給される電流の電流値を計測する電流計測部が設けられている。
【００３２】
室外熱交換器（14）及び室内熱交換器（15）は、共にクロスフィン式のフィン・アンド・チューブ型熱交換器により構成されている。室外熱交換器（14）の近傍には、室外熱交換器（14）に空気を送る室外ファン（16）が設けられている。室内熱交換器（15）の近傍には、室内熱交換器（15）に空気を送る室内ファン（17）が設けられている。
【００３３】
バイパス回路（13）は、室外熱交換器（14）と膨張機（31）の間と、室内熱交換器（15）と膨張機（31）の間とを接続している。バイパス回路（13）は、室外熱交換器（14）を通過した冷媒の一部を膨張機（31）の下流へ送る。バイパス回路（13）には、開度可変の電子膨張弁により構成されたバイパス弁（26）が設けられている。バイパス弁（26）は、バイパス回路（13）を流れる冷媒の流量を調節するための流量調節機構（26）を構成している。
【００３４】
冷媒回路（11）には、吐出圧力センサ（18）と吸入圧力センサ（19）とが設けられている。吐出圧力センサ（18）は、圧縮機（21）から吐出された高圧冷媒の圧力を計測する。また、吸入圧力センサ（19）は、圧縮機（21）に吸入される低圧冷媒の圧力を計測する。また、冷媒回路（11）には、吐出温度センサ（28）と吸入温度センサ（29）とが設けられている。吐出温度センサ（28）は、圧縮機（21）から吐出された高圧冷媒の温度を計測する。また、吸入温度センサ（29）は、圧縮機（21）に吸入される低圧冷媒の温度を計測する。
【００３５】
−運転動作−
本実施形態の空気調和装置（10）の動作について説明する。
【００３６】
本実施形態の空気調和装置（10）では、電動機（23）に電力が供給されると、電動機（23）によって圧縮機（21）が回転駆動され、冷媒回路（11）で冷媒が循環して冷凍サイクルが行われる。この冷凍サイクルでは、室外熱交換器（14）が放熱器として動作して室内熱交換器（15）が蒸発器として動作する。この冷凍サイクルでは、冷凍サイクルの高圧圧力が冷媒の臨界圧力以上となる。
【００３７】
具体的に、圧縮機（21）から吐出された冷媒は、室外熱交換器（14）へ供給される。室外熱交換器（14）では、室外ファン（16）によって供給される空気へ冷媒が放熱して冷却される。室外熱交換器（14）で冷却された冷媒は、膨張機（31）へ流入する。膨張機（31）では、冷媒が膨張して動力を発生させる。発電機（33）は、膨張機（31）で膨張する冷媒によって回転駆動される。発電機（33）で発生した電力は、電動機（23）へ供給され、電動機（23）の駆動に用いられる。
【００３８】
膨張機（31）で膨張した冷媒は、室内熱交換器（15）へ供給される。室内熱交換器（15）では、室内ファン（17）によって供給される空気から冷媒が吸熱して蒸発する。室内熱交換器（15）で蒸発した冷媒は、圧縮機（21）に吸入される。圧縮機（21）では、冷媒が圧縮されて、再び吐出される。
【００３９】
なお、バイパス回路（13）のバイパス弁（26）が開状態に設定されている場合には、室外熱交換器（14）で冷却された冷媒の一部が、バイパス回路（13）を流入し、バイパス弁（26）で減圧される。バイパス弁（26）で減圧された冷媒は、膨張機（31）で膨張した冷媒と合流して、室内熱交換器（15）へ供給される。
【００４０】
《コントローラ》
本実施形態の空気調和装置（10）は、冷媒回路（11）等を制御するコントローラ（40）を備えている。コントローラ（40）は制御手段（40）を構成している。
【００４１】
本実施形態のコントローラ（40）は、冷媒回路（11）における冷媒の循環量（以下「システム流量」という。）が多くなるほど高い回転速度になるように膨張機（31）の回転速度を調節するように構成されている。但し、コントローラ（40）は、膨張機（31）で回収される回収動力が最大となるピーク回転速度Ｖｐを超えないように、膨張機（31）の回転速度を調節する。つまり、コントローラ（40）は、膨張機（31）の回転速度がピーク回転速度Ｖｐを超えないような流量にシステム流量がなっている場合には、システム流量が多くなるほど高い回転速度になるように膨張機（31）の回転速度を調節する一方で、膨張機（31）の回転速度がピーク回転速度Ｖｐを超えるような流量にシステム流量がなっている場合には、膨張機（31）の回転速度をピーク回転速度Ｖｐに維持する。
【００４２】
具体的に、コントローラ（40）は、膨張機（31）の回転速度をピーク回転速度Ｖｐ未満に調節する場合は、冷媒回路（11）におけるシステム流量が多くなるほど高い回転速度になるように膨張機（31）の回転速度を調節する制御動作として、冷凍サイクルにおける高圧圧力が所定の高圧目標値になるように膨張機（31）の回転速度を調節する速度調節動作を行う。冷凍サイクルにおける高圧圧力は、冷媒回路（11）の動作状態を表す物理量のうち、高圧冷媒の状態を表す物理量である。また、コントローラ（40）は、膨張機（31）の回転速度をピーク回転速度Ｖｐ未満に調節している間は、バイパス回路（13）が閉鎖されるようにバイパス弁（26）を制御する。すなわち、膨張機（31）の回転速度がピーク回転速度Ｖｐを超えないような流量にシステム流量がなっている場合は、バイパス弁（26）が閉状態に設定された状態で、膨張機（31）の回転速度の調節によって、吐出圧力センサ（18）の計測圧力が高圧目標値に調節される。
【００４３】
一方、コントローラ（40）は、速度検出部によって検出された検出回転速度がピーク回転速度Ｖｐを上回るという条件が成立すると、膨張機（31）を減速して、膨張機（31）の回転速度をピーク回転速度Ｖｐに維持する速度維持動作を行う。また、コントローラ（40）は、膨張機（31）の回転速度をピーク回転速度Ｖｐに維持している間は、冷凍サイクルにおける高圧圧力が高圧目標値になるように、バイパス弁（26）の開度を制御するバイパス量調節動作を行う。つまり、膨張機（31）の回転速度がピーク回転速度Ｖｐを超えるような流量にシステム流量がなっている場合は、膨張機（31）の回転速度がピーク回転速度Ｖｐに維持された状態で、バイパス弁（26）の開度制御によって、吐出圧力センサ（18）の計測圧力が高圧目標値に調節される。
【００４４】
なお、コントローラ（40）には、冷凍サイクルにおける高圧圧力の目標値として、上記高圧目標値が予め設定されている。高圧目標値は、冷凍サイクルのＣＯＰ（成績係数）が最大となる値として設定されている。また、コントローラ（40）には、冷凍サイクルにおける低圧圧力の目標値として、低圧目標値が予め設定されている。
【００４５】
コントローラ（40）には、ピーク回転速度Ｖｐの制御マップが設けられている。制御マップには、実験等で予め求められたピーク回転速度Ｖｐが設定されている。本実施形態の制御マップには、冷媒回路（11）の動作状態として、高圧冷媒と低圧冷媒の圧力差である高低差圧に対応したピーク回転速度Ｖｐが設定されている。つまり、制御マップでは、高低差圧の複数の値のそれぞれに対して、ピーク回転速度Ｖｐが設定されている。  
【００４６】
−コントローラの動作−
続いて、コントローラ（40）の動作を図２に示すフローチャートを基に説明する。
【００４７】
なお、コントローラ（40）は、空気調和装置（10）の運転中に亘って、室内熱交換器（15）で要求される冷却能力に応じたシステム流量に調節する能力調節動作を実行している。コントローラ（40）は、例えば、吸入圧力センサ（19）の計測圧力が低圧目標値になるように圧縮機（21）の回転速度を調節する動作を、能力調節動作として行う。
【００４８】
空気調和装置（10）の運転開始後、まずステップＳＴ１が行われる。なお、空気調和装置（10）の運転開始直後は、バイパス弁（26）は閉状態に設定されている。ステップＳＴ１では、コントローラ（40）が、バイパス弁（26）を閉状態に設定したまま、吐出圧力センサ（18）の計測圧力が高圧目標値になるように膨張機（31）の回転速度を調節する速度調節動作を行う。
【００４９】
速度調節動作では、吐出圧力センサ（18）の計測圧力が高圧目標値よりも低い場合には、発電機（33）から電動機（23）へ供給される供給電力が増大するようにスイッチ回路の出力周波数が調節される。その結果、発電機（33）の負荷が増大して膨張機（31）の回転速度が低下し、高圧圧力が上昇する。一方、吐出圧力センサ（18）の計測圧力が高圧目標値よりも高い場合には、供給電力が減少するようにスイッチ回路の出力周波数が調節される。その結果、発電機（33）の負荷が減少して膨張機（31）の回転速度が増大し、高圧圧力が低下する。ステップＳＴ１は、一定の時間に亘って行われる。ステップＳＴ１が終了すると、ステップＳＴ２が行われる。
【００５０】
ステップＳＴ２では、コントローラ（40）が、制御マップからピーク回転速度Ｖｐを読み出すために必要な冷媒回路（11）の動作状態（高低差圧）を検出する状態検出動作を行う。コントローラ（40）は、吐出圧力センサ（18）の計測圧力から吸入圧力センサ（19）の計測圧力を引いた値を高低差圧として検出する。ステップＳＴ２が終了すると、ステップＳＴ３が行われる。
【００５１】
ステップＳＴ３では、コントローラ（40）が、ステップＳＴ２で検出した冷媒回路（11）の動作状態に対応するピーク回転速度Ｖｐを制御マップから読み出す読出動作を行う。コントローラ（40）は、ステップＳＴ２で検出した高低差圧に対応するピーク回転速度Ｖｐを制御マップから読み出す。ステップＳＴ３が終了すると、ステップＳＴ４が行われる。
【００５２】
ステップＳＴ４では、コントローラ（40）が、現在の膨張機（31）の回転速度をピーク回転速度Ｖｐと比較する第１比較動作を行う。コントローラ（40）は、速度検出部によって検出された検出回転速度を、ステップＳＴ３で読み出したピーク回転速度Ｖｐと比較する。コントローラ（40）は、検出回転速度がピーク回転速度Ｖｐに等しい場合（例えば、検出回転速度の１の位を四捨五入した値がピーク回転速度Ｖｐに等しい場合）には、ステップＳＴ５を行う。一方、コントローラ（40）は、検出回転速度がピーク回転速度Ｖｐに等しくない場合には、ステップＳＴ６を行う。なお、コントローラ（40）は、検出回転速度とピーク回転速度Ｖｐとの差が所定値以下であれば、検出回転速度がピーク回転速度Ｖｐに概ね等しいものと判断して、ステップＳＴ５を行うように構成されていてもよい。
【００５３】
ステップＳＴ５では、コントローラ（40）が、吐出圧力センサ（18）の計測圧力が高圧目標値になるようにバイパス弁（26）の開度を調節するバイパス量調節動作を行いながら、膨張機（31）の回転速度をピーク回転速度Ｖｐに維持する速度維持動作を行う。バイパス量調節動作では、吐出圧力センサ（18）の計測圧力が高圧目標値よりも高くなると、バイパス弁（26）の開度が拡大され、吐出圧力センサ（18）の計測圧力が高圧目標値よりも低くなると、バイパス弁（26）の開度が縮小される。但し、コントローラ（40）は、バイパス弁（26）の開度制御によって吐出圧力センサ（18）の計測圧力を高圧目標値に維持することができなくなると、速度維持動作を終了させて、速度調節動作を行う。例えば、コントローラ（40）は、バイパス弁（26）を閉状態に設定している状態で、吐出圧力センサ（18）の計測圧力が高圧目標値よりも所定値だけ低くなると、速度維持動作を終了させて、速度調節動作を行う。本実施形態のコントローラ（40）は、検出回転速度がピーク回転速度Ｖｐに等しくなっている場合であっても、高圧圧力を高圧目標値に維持することを優先して、膨張機（31）の回転速度をピーク回転速度Ｖｐから低下させる。ステップＳＴ５は、一定の時間に亘って行われる。ステップＳＴ５が終了すると、ステップＳＴ２が行われる。
【００５４】
ステップＳＴ６では、ステップＳＴ５と同様に、コントローラ（40）が、現在の膨張機（31）の回転速度をピーク回転速度Ｖｐと比較する第２比較動作を行う。コントローラ（40）は、速度検出部によって検出された検出回転速度を、ステップＳＴ３で読み出したピーク回転速度Ｖｐと比較する。コントローラ（40）は、検出回転速度がピーク回転速度Ｖｐ以下となる場合（例えば、検出回転速度の１の位を四捨五入した値が、ピーク回転速度Ｖｐ以下となる場合）には、ステップＳＴ７を行う。一方、コントローラ（40）は、検出回転速度がピーク回転速度Ｖｐを上回る場合には、ステップＳＴ８を行う。
【００５５】
ステップＳＴ７では、コントローラ（40）が、バイパス弁（26）を閉状態に設定したまま、上記速度調節動作を行う。ステップＳＴ７は、一定の時間に亘って行われる。ステップＳＴ７が終了すると、ステップＳＴ２が行われる。
【００５６】
本実施形態のコントローラ（40）は、検出回転速度がピーク回転速度Ｖｐ以下となる場合は、膨張機（31）の回転速度をピーク回転速度Ｖｐに調節すると、冷凍サイクルの高圧圧力が高圧目標値よりも低くなり、冷凍サイクルの成績係数が低下するので、膨張機（31）の回転速度をピーク回転速度Ｖｐに調節しない。膨張機（31）の回転速度をピーク回転速度Ｖｐに調節することよりも、高圧圧力を高圧目標値に維持することが優先される。
【００５７】
ステップＳＴ８では、コントローラ（40）が、膨張機（31）を減速して、膨張機（31）の回転速度をピーク回転速度Ｖｐに調節した後に、速度維持動作を行う。コントローラ（40）は、スイッチ回路の出力周波数を調節することによって膨張機（31）の回転速度をピーク回転速度Ｖｐに調節する。また、速度維持動作中のコントローラ（40）は、バイパス量調節動作を行う。ステップＳＴ８が終了すると、一定時間の経過後にステップＳＴ２が行われる。
【００５８】
ここで、空気調和装置（10）の運転開始後の膨張機（31）の回転速度の変化について説明する。まず、空気調和装置（10）の運転開始後のシステム流量が比較的多い場合について、ステップＳＴ１で膨張機（31）の回転速度が図４のＡ点に対応する回転速度に調節される場合を例に説明する。
【００５９】
この場合、ステップＳＴ４の後にステップＳＴ６が行われる。ステップＳＴ６では検出回転速度がピーク回転速度Ｖｐを上回ると判定されるので、ステップＳＴ６の後に、ステップＳＴ８が行われる。ステップＳＴ８では、膨張機（31）の回転速度が、図４のＢ点に対応するピーク回転速度Ｖｐに調節される。膨張機（31）の回転速度が低下すると、高圧圧力が増大しないように、バイパス弁（26）の開度が拡大される。システム流量が多いほど、バイパス弁（26）は大きい開度に調節され、バイパス回路（13）を流れる冷媒の流量は多くなる。
【００６０】
続いて、空気調和装置（10）の運転開始後のシステム流量が比較的少ない場合について、ステップＳＴ１で膨張機（31）の回転速度が図４のＣ点に対応する回転速度に調節される場合を例に説明する。
【００６１】
この場合、ステップＳＴ４の後のステップＳＴ６では、検出回転速度がピーク回転速度Ｖｐ以下であると判定されるので、ステップＳＴ６の後に、ステップＳＴ７が行われる。ステップＳＴ７では、ステップＳＴ１の時点から高圧圧力が変動していれば、吐出圧力センサ（18）の計測圧力が高圧目標値になるように、膨張機（31）の回転速度が調節される。
【００６２】
−実施形態の効果−
本実施形態では、膨張機（31）の回転速度がピーク回転速度Ｖｐを超えるような流量にシステム流量がなっている場合は、膨張機（31）の回転速度がピーク回転速度Ｖｐに調節される。このため、膨張機（31）の回転速度がピーク回転速度Ｖｐを超えるような流量にシステム流量がなっている場合に、ピーク回転速度Ｖｐよりも高い回転速度に維持されていた従来の冷凍装置に比べて、多くの回収動力を得ることができる。従って、膨張機（31）における回収動力を増大させることができる。
【００６３】
また、本実施形態では、膨張機（31）の回転速度がピーク回転速度Ｖｐを超えないような流量にシステム流量がなっている場合は、膨張機（31）の回転速度の調節によって冷凍サイクルにおける高圧圧力が一定に保たれ、膨張機（31）の回転速度がピーク回転速度Ｖｐを超えるような流量にシステム流量がなっている場合は、バイパス弁（26）の開度制御によってバイパス回路（13）の冷媒流量が調節されて、冷凍サイクルにおける高圧圧力が一定に保たれる。このため、膨張機（31）の回転速度をピーク回転速度Ｖｐに保持しつつ、冷凍サイクルにおける高圧圧力を一定に保つことができる。従って、高い回収動力を得つつ、安定した冷凍サイクルを行うことができる。
【００６４】
また、本実施形態では、膨張機（31）の回転速度がピーク回転速度Ｖｐを超えないような流量にシステム流量がなっている場合に、室外熱交換器（14）を流出した冷媒がバイパス回路（13）に分配されることなく膨張機（31）へ供給される。従って、膨張機（31）の回転速度がピーク回転速度Ｖｐを超えないような流量にシステム流量がなっている場合に、多くの冷媒が膨張機（31）を通過するので、高い回収動力を得ることができる。
【００６５】
また、本実施形態では、実際の冷媒回路（11）の動作状態に対応したピーク回転速度Ｖｐが、膨張機（31）の回転速度の調節に用いられる。このため、冷媒回路（11）の動作状態が変動しても、ピーク回転速度Ｖｐを超えないように膨張機（31）の回転速度を調節することができる。
【００６６】
−実施形態の変形例−
この変形例では、膨張機（31）の回転速度の調節に関するコントローラ（40）の動作が、上記実施形態とは異なっている。それ以外は、上記実施形態と同じである。以下では、コントローラ（40）の動作を図３に示すフローチャートを基に説明する。
【００６７】
空気調和装置（10）の運転開始後、まずステップＳＴ１１が行われる。ステップＳＴ１１では、上記実施形態のステップＳＴ１と同じ動作が行われる。ステップＳＴ１１では、吐出圧力センサ（18）の計測圧力が高圧目標値になるように膨張機（31）の回転速度を調節する速度調節動作が行われる。ステップＳＴ１１は、一定の時間に亘って行われる。ステップＳＴ１１が終了すると、ステップＳＴ１２が行われる。
【００６８】
ステップＳＴ１２では、コントローラ（40）が、膨張機（31）で回収される回収動力を検出する回収動力検出動作を行う。回収動力検出動作では、回収動力として、発電機（33）から電動機（23）へ供給される供給電力が検出される。コントローラ（40）は、速度検出部によって検出された検出回転速度に基づいて算出した発電機（33）の出力電圧に、電流検出部の検出値を掛けた値を、供給電力として算出する。本実施形態では、信頼性の高い供給電力が得られるように、供給電力が一定時間の平均値として算出される。この点は、後述するステップＳＴ１４とステップＳＴ１７でも同じである。
【００６９】
ステップＳＴ１３は、前のステップＳＴの終了から一定時間の経過後に行われる。ステップＳＴ１３では、コントローラ（40）が、膨張機（31）の回転速度を所定値だけ低下させる減速動作を行う。コントローラ（40）は、供給電力が増加するようにスイッチ回路の出力周波数を制御することによって、膨張機（31）の回転速度を低下させる。ステップＳＴ１３では、膨張機（31）の回転速度の低下に伴って高圧圧力が増大しないように、バイパス量調節動作によってバイパス弁（26）の開度が拡大される。ステップＳＴ１３が終了すると、ステップＳＴ１４が行われる。
【００７０】
ステップＳＴ１４では、コントローラ（40）が、ステップＳＴ１２と同じ回収動力検出動作を行う。ステップＳＴ１４では、膨張機（31）の回転速度が低下した後の供給電力が検出される。ステップＳＴ１４が終了すると、ステップＳＴ１５が行われる。
【００７１】
ステップＳＴ１５では、コントローラ（40）が、直近の第１の回収動力検出動作（ステップＳＴ１４の回収動力検出動作）で検出した減速後の供給電力と、直近の回収動力検出動作の１つ前の第２の回収動力検出動作（ステップＳＴ１３の直前にステップＳＴ１２を行っている場合は、ステップＳＴ１２の回収動力検出動作、ステップＳＴ１３の直前にステップＳＴ１８を行っている場合は、ステップＳＴ１７の回収動力検出動作）で検出した減速前の供給電力とを比較する第１比較動作を行う。コントローラ（40）は、減速後の供給電力が減速前の供給電力を上回る場合には、ステップＳＴ１３を行う。一方、コントローラ（40）は、減速後の供給電力が減速前の供給電力以下となる場合には、ステップＳＴ１６を行う。
【００７２】
ステップＳＴ１６は、前のステップＳＴの終了から一定時間の経過後に行われる。ステップＳＴ１６では、コントローラ（40）が、バイパス弁（26）が開状態に設定されている場合にだけ、膨張機（31）の回転速度を所定値だけ増大させる加速動作を行う。コントローラ（40）は、バイパス弁（26）が閉状態に設定されている場合には、高圧圧力が低下して高圧目標値から離れることを回避するために、加速動作を行わない。コントローラ（40）は、供給電力が減少するようにスイッチ回路の出力周波数を制御することによって、膨張機（31）の回転速度を増大させる。ステップＳＴ１６では、膨張機（31）の回転速度の増大に伴って高圧圧力が低下しないように、バイパス量調節動作によってバイパス弁（26）の開度が縮小される。ステップＳＴ１６が終了すると、ステップＳＴ１７が行われる。
【００７３】
ステップＳＴ１７では、コントローラ（40）が、ステップＳＴ１２と同じ回収動力検出動作を行う。ステップＳＴ１７では、膨張機（31）の回転速度が増大した後の供給電力が検出される。ステップＳＴ１７が終了すると、ステップＳＴ１８が行われる。
【００７４】
ステップＳＴ１８では、コントローラ（40）が、直近の第１の回収動力検出動作（ステップＳＴ１７の回収動力検出動作）で検出した加速後の供給電力と、直近の回収動力検出動作の１つ前の第２の回収動力検出動作（ステップＳＴ１６の直前にステップＳＴ１５を行っている場合は、ステップＳＴ１４の回収動力検出動作、ステップＳＴ１６の直前にステップＳＴ１８を行っている場合は、ステップＳＴ１７の回収動力検出動作）で検出した加速前の供給電力とを比較する第２比較動作を行う。コントローラ（40）は、加速後の供給電力が加速前の供給電力を上回る場合には、ステップＳＴ１６を行う。一方、コントローラ（40）は、加速後の供給電力が加速前の供給電力以下となる場合には、ステップＳＴ１３を行う。
【００７５】
なお、この変形例では、空気調和装置（10）の運転終了まで、ステップＳＴ１３からステップＳＴ１８までの動作が、繰り返し行われる。
【００７６】
また、この変形例では、ステップＳＴ１２以降も、コントローラ（40）が、速度調節動作又はバイパス量調節動作によって、吐出圧力センサ（18）の計測圧力が高圧目標値に調節される。この変形例では、上記実施形態と同様に、膨張機（31）の回転速度をピーク回転速度Ｖｐに調節することよりも、高圧圧力を高圧目標値に維持することが優先される。
【００７７】
具体的に、コントローラ（40）は、吐出圧力センサ（18）の計測圧力が高圧目標値よりも低くなる場合には、バイパス弁（26）が開状態に設定されていれば、バイパス弁（26）の開度を縮小し、バイパス弁（26）が閉状態に設定されていれば、膨張機（31）の回転速度がピーク回転速度Ｖｐに調節されている場合であっても、膨張機（31）の回転速度を強制的に低下させる。一方、コントローラ（40）は、吐出圧力センサ（18）の計測圧力が高圧目標値よりも高くなる場合には、バイパス弁（26）の開度を拡大する。
【００７８】
ここで、空気調和装置（10）の運転開始後の膨張機（31）の回転速度の変化について説明する。まず、空気調和装置（10）の運転開始後のシステム流量が比較的多い場合について、ステップＳＴ１１で膨張機（31）の回転速度が図４のＡ点に対応する回転速度に調節される場合を例に説明する。
【００７９】
この場合、ステップＳＴ１２の後のステップＳＴ１３で、膨張機（31）の回転速度が、低下してＤ点に対応する回転速度になる。膨張機（31）の回転速度は、ピーク回転速度Ｖｐに近づく。また、バイパス弁（26）が開状態に設定される。そして、ステップＳＴ１５では、減速後の供給電力が減速前の供給電力を上回ると判定されるので、ステップＳＴ１５の後に、再びステップＳＴ１３が行われる。ステップＳＴ１３では、膨張機（31）の回転速度が、さらに低下して図４のＢ点に対応するピーク回転速度Ｖｐに調節される。また、バイパス弁（26）の開度は拡大する。このように、この変形例では、冷凍サイクル中に検出した互いに異なる回転速度における回収動力を比較することによって、ピーク回転速度を超えないように膨張機（31）の回転速度が調節される。従って、コントローラ（40）に予めピーク回転速度Ｖｐを記憶させておく手間を省くことができる。
【００８０】
続いて、空気調和装置（10）の運転開始後のシステム流量が比較的多い場合について、ステップＳＴ１１で膨張機（31）の回転速度が図４のＣ点に対応する回転速度に調節される場合を例に説明する。
【００８１】
この場合、ステップＳＴ１２の後のステップＳＴ１３で、膨張機（31）の回転速度が、低下してＥ点に対応する回転速度になる。膨張機（31）の回転速度は、一旦ピーク回転速度Ｖｐから離れる。また、バイパス弁（26）が開状態に設定される。そして、ステップＳＴ１５では、減速後の供給電力が減速前の供給電力以下であると判定されるので、ステップＳＴ１５の後にステップＳＴ１６が行われる。ステップＳＴ１６では、膨張機（31）の回転速度が、増大してＣ点に対応する回転速度に戻る。また、バイパス弁（26）は閉状態に戻される。次に、ステップＳＴ１８では、加速後の供給電力が加速前の供給電力を上回ると判定されるので、ステップＳＴ１８の後に、再びステップＳＴ１６が行われる。ステップＳＴ１６では、バイパス弁（26）が閉鎖されているので、速度増大動作は行われず、膨張機（31）の回転速度は、Ｃ点に対応する回転速度に維持される。
【００８２】
《その他の実施形態》
上記実施形態については、以下のような構成としてもよい。
【００８３】
上記実施形態において、バイパス弁（26）の代わりに、バイパス回路（13）に、容積型流体機械により構成されたバイパス側膨張機を設けてもよい。バイパス側膨張機は、冷媒が供給されると、冷媒を膨張させて動力を発生させる。コントローラ（40）は、バイパス側膨張機の回転速度を調節することによって、バイパス回路（12）の冷媒流量を調節する。
【００８４】
また、上記実施形態において、冷媒回路（11）における室外熱交換器（14）と膨張機（31）との間に、開度可変の電子膨張弁により構成された前絞り弁を設けてもよい。この場合、バイパス回路（13）を省略することが可能である。この場合、コントローラ（40）は、前絞り弁の開度を調節することによって、膨張機（31）の回転速度を調節する。
【００８５】
また、上記実施形態において、コントローラ（40）が、膨張機（31）の回転速度がピーク回転速度Ｖｐになっていると想定した場合の膨張機（31）の吸入流量（以下、「想定吸入流量」という。）をシステム流量が上回るという条件が成立した場合に、膨張機（31）の回転速度がピーク回転速度Ｖｐを超えるような流量にシステム流量がなっていると判断して、膨張機（31）を減速して、速度維持動作を行うように構成されていてもよい。ステップＳＴ６の第２比較動作で、システム流量が想定吸入流量以下であれば、ステップＳＴ７が行われ、システム流量が想定吸入流量を上回れば、ステップＳＴ８が行われる。なお、システム流量は、例えば、圧縮機（21）の回転速度に圧縮機（21）の吸入容積を掛けた値を低圧冷媒の比体積で除することによって、算出される。圧縮機（21）の回転速度は、圧縮機（21）に供給される相電流の波形周期に基づいて算出される。低圧冷媒の比体積は、吸入圧力センサ（19）の計測圧力及び吸入温度センサ（29）の計測温度に基づいて算出される。また、想定吸入流量は、例えば、ステップＳＴ３で読み出したピーク回転速度Ｖｐに膨張機（31）の吸入容積を掛けた値を高圧冷媒の比体積で除することによって、算出される。高圧冷媒の比体積は、吐出圧力センサ（18）の計測圧力及び吐出温度センサ（28）の計測温度に基づいて算出される。
【００８６】
また、上記実施形態において、コントローラ（40）が、膨張機（31）の回転速度をピーク回転速度未満に調節する場合には、圧縮機（21）の吐出冷媒の温度が所定の目標値になるように膨張機（31）の回転速度を調節する一方で、膨張機（31）の回転速度をピーク回転速度に維持している場合には、圧縮機（21）の吐出冷媒の温度が目標値になるようにバイパス量調節動作を行うように構成されていてもよい。この場合は、圧縮機（21）の吐出冷媒の温度が、冷媒回路（11）の動作状態を表す物理量に相当する。
【００８７】
また、上記実施形態において、コントローラ（40）が、膨張機（31）の回転速度をピーク回転速度未満に調節する場合には、室外熱交換器（14）の出口の冷媒の過冷却度が所定の目標値になるように膨張機（31）の回転速度を調節する一方で、膨張機（31）の回転速度をピーク回転速度に維持している場合には、室外熱交換器（14）の出口の冷媒の過冷却度が目標値になるようにバイパス量調節動作を行うように構成されていてもよい。この場合は、冷凍サイクルの高圧圧力が冷媒の臨界圧力よりも低くなる冷凍サイクルが行われる。室外熱交換器（14）の出口の冷媒の過冷却度は、冷媒回路（11）の動作状態を表す物理量に相当する。
【００８８】
なお、以上の実施形態は、本質的に好ましい例示であって、本発明、その適用物、あるいはその用途の範囲を制限することを意図するものではない。
【産業上の利用可能性】
【００８９】
以上説明したように、本発明は、冷媒を膨張させて動力を発生させる膨張機を備えた冷凍装置について有用である。
【図面の簡単な説明】
【００９０】
【図１】実施形態における空気調和装置の概略構成図である。
【図２】実施形態におけるコントローラの動作の流れを示すフローチャートである。
【図３】実施形態の変形例におけるコントローラの動作の流れを示すフローチャートである。
【図４】膨張機の回転速度と回収動力との関係を示す図表である。
【符号の説明】
【００９１】
10  空気調和装置（冷凍装置）
11  冷媒回路
12  主回路
13  バイパス回路
21  圧縮機
26  バイパス弁（流量調節機構）
31  膨張機
40  コントローラ（制御手段）
【図１】
2010216678.tif 000003
【図２】
2010216678.tif 000004
【図３】
2010216678.tif 000005
【図４】
2010216678.tif 000006